(57)【要約】【課題】所定のレイアウト上の所定位置に対する複数の原稿画像の配置を、実際の画像形成前に確認しつつ、また再配置可能に行い、これによって、印刷装置、複写機、プリンタ、ファクシミリ等の画像形成装置による画像形成用の画像を構成する画像編集装置、画像編集方法、これらを用いるかかる画像形成装置、画像形成方法の提供。【解決手段】表示部９６に表示されたレイアウトの所定位置と画像記憶部９９に記憶された複数の原稿画像データとを関連付けるための入力を行う入力手段９６を有し、表示部９６が、レイアウトとともに、レイアウトに関連付けられた複数の原稿画像を、レイアウト上の所定位置に表示可能であり、入力手段９６により、表示部９６に表示された複数の原稿画像の、レイアウト上の所定位置との関連付けを変更可能とした。【選択図】図３
2009152890.tif 000002
【特許請求の範囲】
【請求項１】
複数の原稿画像データを記憶する画像記憶部と、
複数の原稿画像をその所定位置に配置して画像形成用の画像を構成するためのレイアウトを記憶するレイアウト記憶部と、
前記レイアウト記憶部に記憶された前記レイアウトを表示する表示部と、
前記表示部に表示された前記レイアウトの所定位置と、前記画像記憶部に記憶された複数の原稿画像データとを関連付けるための入力を行う入力手段とを有し、
前記表示部が、表示した前記レイアウトとともに、同レイアウトに関連付けられた複数の原稿画像を、同レイアウト上の所定位置に表示可能であり、
前記入力手段により、前記表示部に表示された複数の原稿画像の、同表示部に表示された前記レイアウト上の所定位置との関連付けを、変更可能である画像編集装置。
【請求項２】
請求項１記載の画像編集装置において、
前記レイアウト記憶部に記憶された前記レイアウトの所定位置と、複数の原稿画像データとを関連付けて記憶する原稿画像位置記憶部を有することを特徴とする画像編集装置。
【請求項３】
請求項２記載の画像編集装置において、
前記原稿画像位置記憶部は、複数の原稿画像データが前記画像記憶部に記憶された順に応じて、複数の原稿画像データと、前記レイアウト記憶部に記憶された前記レイアウトの所定位置とを関連付けて記憶するものであり、前記入力手段により前記関連付けの変更が行われたとき、この変更に応じて、前記画像記憶部に記憶された順と、前記レイアウト記憶部に記憶された前記レイアウトの所定位置との関連付けを変更可能であることを特徴とする画像編集装置。
【請求項４】
請求項１ないし３の何れか１つに記載の画像編集装置において、
複数の原稿画像データが前記画像記憶部に記憶された順に応じて、ページ番号を、前記表示部に表示された前記レイアウトの所定位置と関連付け、同レイアウト上の所定位置にページ番号を付加した状態で同表示部に表示させるページ番号出力手段を有することを特徴とする画像編集装置。
【請求項５】
請求項４記載の画像編集装置において、
前記ページ番号出力手段によってなされた、前記表示部に表示された前記レイアウトの所定位置と、ページ番号との関連付けの変更を行うための入力を行うページ番号変更入力手段を有し、
前記ページ番号出力手段は、前記ページ番号変更入力手段によって前記変更が行われたとき、この変更に応じて、前記表示部に表示された前記レイアウト上の所定位置にページ番号を付加した状態で同表示部に表示させることを特徴とする画像編集装置。
【請求項６】
請求項１ないし５の何れか１つに記載の画像編集装置において、
前記入力手段により、前記表示部に表示する原稿画像を変更可能であることを特徴とする画像編集装置。
【請求項７】
請求項６記載の画像編集装置において、
前記入力手段による、前記表示部に表示する原稿画像の変更は、前記表示部に表示されている複数の原稿画像から同表示部への表示を取り消す原稿画像を選択した後に新たに入力された原稿画像データに対応した原稿画像が同表示部に表示されることで行われることを特徴とする画像編集装置。
【請求項８】
複数の原稿画像データを記憶する画像記憶部と、
複数の原稿画像をその所定位置に配置して画像形成用の画像を構成するためのレイアウトを記憶するレイアウト記憶部と、
前記レイアウト記憶部に記憶された前記レイアウトを表示する表示部と、
前記表示部に表示された前記レイアウトの所定位置と、前記画像記憶部に記憶された複数の原稿画像データとを関連付けるための入力を行う入力手段とを用い、
前記表示部に、前記レイアウトとともに、同レイアウトに関連付けられた複数の原稿画像が、同レイアウト上の所定位置に表示された状態で、
前記入力手段により、前記表示部に表示された複数の原稿画像の、同表示部に表示された前記レイアウト上の所定位置との関連付けを、変更する画像編集方法。
【請求項９】
請求項１ないし７の何れか１つに記載の画像編集装置、又は、請求項８記載の画像編集方法を用いる画像形成装置であって、前記表示部に表示された、前記レイアウトと同レイアウトの所定位置に配置された複数の原稿画像とによって構成された前記画像形成用の画像に応じて画像形成を行う画像形成装置。
【請求項１０】
請求項９記載の画像形成装置において、印刷装置であることを特徴とする画像形成装置。
【請求項１１】
請求項１ないし７の何れか１つに記載の画像編集装置、又は、請求項８記載の画像編集方法、又は、請求項９又は１０記載の画像形成装置を用いる画像形成方法であって、前記表示部に表示された、前記レイアウトと同レイアウトの所定位置に配置された複数の原稿画像とによって構成された前記画像形成用の画像に応じて画像形成を行う画像形成方法。
【発明の詳細な説明】
【技術分野】
【０００１】
本発明は、複数の原稿画像を所定のレイアウト上の所定位置に配置することにより、印刷装置、複写機、プリンタ、ファクシミリ等の画像形成装置による画像形成用の画像を構成する画像編集装置、画像編集方法、これらを用いるかかる画像形成装置、画像形成方法に関する。
【背景技術】
【０００２】
従来より、〔特許文献１〕、〔特許文献２〕等に記載されているように、画像形成のために、複数の原稿画像を編集する画像編集装置が知られている。〔特許文献１〕記載の画像編集装置は、読み取って作成した複数の画像データを、読み取り順に、あらかじめ定めたレイアウト上に配置するものである。〔特許文献２〕記載の画像編集装置は、読み取って作成した複数の原稿のデータについて、ページを分割、結合し、読み取った順番に対応した順にページを再配列するものである。
【０００３】
【特許文献１】特開２００２−２９０６７９号公報
【特許文献２】特開平５−１１０８０８号公報
【発明の開示】
【発明が解決しようとする課題】
【０００４】
しかし、かかる従来の技術においては、編集後の画像が実際にどのようなものになっているか、画像形成を行う前に確認できず、よって画像形成を行った結果を見て、所望の画像が得られていない場合には、再度画像を編集しなければならず、いわゆるトライアンドエラーにて所望の画像を形成する必要があったため、作業性が低く、また紙やインキ、トナー等も無駄になっていた。とくに、一般に１つの画像で多数枚の画像形成を前提とする印刷装置においては、かかる不具合に加え、かかる前提にかかわらず所望の画像が得られていない場合にはその画像による印刷を１枚しか行わないこととなるうえ、製版に関する無駄、すなわち廃棄されるマスタ等の版等の無駄、製版時間の無駄等が生じるなど、種々の無駄が発生してしまう。
【０００５】
また、〔特許文献１〕記載の画像編集装置では、読み取った複数の原稿画像を所定位置に配置して画像形成用の画像を一度作成すると、同じ原稿画像を再配置する場合でも、読み取り操作から行わなければならないと考えられ、この場合、上記不具合に加えて読み取り操作に要する無駄も生じることとなる。なお、〔特許文献２〕に記載の画像編集装置では、画像の編集が、１列に並べられた複数のページの分割、結合のみによって行われるものであるため、編集の自由度が低い。
【０００６】
本発明は、所定のレイアウト上の所定位置に対する複数の原稿画像の配置を、実際の画像形成前に確認しつつ、また再配置可能に行い、これによって、印刷装置、複写機、プリンタ、ファクシミリ等の画像形成装置による画像形成用の画像を構成する画像編集装置、画像編集方法、これらを用いるかかる画像形成装置、画像形成方法の提供を目的とする。
【課題を解決するための手段】
【０００７】
上記目的を達成するため、請求項１記載の発明は、複数の原稿画像データを記憶する画像記憶部と、複数の原稿画像をその所定位置に配置して画像形成用の画像を構成するためのレイアウトを記憶するレイアウト記憶部と、前記レイアウト記憶部に記憶された前記レイアウトを表示する表示部と、前記表示部に表示された前記レイアウトの所定位置と、前記画像記憶部に記憶された複数の原稿画像データとを関連付けるための入力を行う入力手段とを有し、前記表示部が、表示した前記レイアウトとともに、同レイアウトに関連付けられた複数の原稿画像を、同レイアウト上の所定位置に表示可能であり、前記入力手段により、前記表示部に表示された複数の原稿画像の、同表示部に表示された前記レイアウト上の所定位置との関連付けを、変更可能である画像編集装置にある。
【０００８】
請求項２記載の発明は、請求項１記載の画像編集装置において、前記レイアウト記憶部に記憶された前記レイアウトの所定位置と、複数の原稿画像データとを関連付けて記憶する原稿画像位置記憶部を有することを特徴とする。
【０００９】
請求項３記載の発明は、請求項２記載の画像編集装置において、前記原稿画像位置記憶部は、複数の原稿画像データが前記画像記憶部に記憶された順に応じて、複数の原稿画像データと、前記レイアウト記憶部に記憶された前記レイアウトの所定位置とを関連付けて記憶するものであり、前記入力手段により前記関連付けの変更が行われたとき、この変更に応じて、前記画像記憶部に記憶された順と、前記レイアウト記憶部に記憶された前記レイアウトの所定位置との関連付けを変更可能であることを特徴とする。
【００１０】
請求項４記載の発明は、請求項１ないし３の何れか１つに記載の画像編集装置において、複数の原稿画像データが前記画像記憶部に記憶された順に応じて、ページ番号を、前記表示部に表示された前記レイアウトの所定位置と関連付け、同レイアウト上の所定位置にページ番号を付加した状態で同表示部に表示させるページ番号出力手段を有することを特徴とする。
【００１１】
請求項５記載の発明は、請求項４記載の画像編集装置において、前記ページ番号出力手段によってなされた、前記表示部に表示された前記レイアウトの所定位置と、ページ番号との関連付けの変更を行うための入力を行うページ番号変更入力手段を有し、前記ページ番号出力手段は、前記ページ番号変更入力手段によって前記変更が行われたとき、この変更に応じて、前記表示部に表示された前記レイアウト上の所定位置にページ番号を付加した状態で同表示部に表示させることを特徴とする。
【００１２】
請求項６記載の発明は、請求項１ないし５の何れか１つに記載の画像編集装置において、前記入力手段により、前記表示部に表示する原稿画像を変更可能であることを特徴とする。
【００１３】
請求項７記載の発明は、請求項６記載の画像編集装置において、前記入力手段による、前記表示部に表示する原稿画像の変更は、前記表示部に表示されている複数の原稿画像から同表示部への表示を取り消す原稿画像を選択した後に新たに入力された原稿画像データに対応した原稿画像が同表示部に表示されることで行われることを特徴とする。
【００１４】
請求項８記載の発明は、複数の原稿画像データを記憶する画像記憶部と、複数の原稿画像をその所定位置に配置して画像形成用の画像を構成するためのレイアウトを記憶するレイアウト記憶部と、前記レイアウト記憶部に記憶された前記レイアウトを表示する表示部と、前記表示部に表示された前記レイアウトの所定位置と、前記画像記憶部に記憶された複数の原稿画像データとを関連付けるための入力を行う入力手段とを用い、前記表示部に、前記レイアウトとともに、同レイアウトに関連付けられた複数の原稿画像が、同レイアウト上の所定位置に表示された状態で、前記入力手段により、前記表示部に表示された複数の原稿画像の、同表示部に表示された前記レイアウト上の所定位置との関連付けを、変更する画像編集方法にある。
【００１５】
請求項９記載の発明は、請求項１ないし７の何れか１つに記載の画像編集装置、又は、請求項８記載の画像編集方法を用いる画像形成装置であって、前記表示部に表示された、前記レイアウトと同レイアウトの所定位置に配置された複数の原稿画像とによって構成された前記画像形成用の画像に応じて画像形成を行う画像形成装置にある。
【００１６】
請求項１０記載の発明は、請求項９記載の画像形成装置において、印刷装置であることを特徴とする。
【００１７】
請求項１１記載の発明は、請求項１ないし７の何れか１つに記載の画像編集装置、又は、請求項８記載の画像編集方法、又は、請求項９又は１０記載の画像形成装置を用いる画像形成方法であって、前記表示部に表示された、前記レイアウトと同レイアウトの所定位置に配置された複数の原稿画像とによって構成された前記画像形成用の画像に応じて画像形成を行う画像形成方法にある。
【発明の効果】
【００１８】
本発明は、複数の原稿画像データを記憶する画像記憶部と、複数の原稿画像をその所定位置に配置して画像形成用の画像を構成するためのレイアウトを記憶するレイアウト記憶部と、前記レイアウト記憶部に記憶された前記レイアウトを表示する表示部と、前記表示部に表示された前記レイアウトの所定位置と、前記画像記憶部に記憶された複数の原稿画像データとを関連付けるための入力を行う入力手段とを有し、前記表示部が、表示した前記レイアウトとともに、同レイアウトに関連付けられた複数の原稿画像を、同レイアウト上の所定位置に表示可能であり、前記入力手段により、前記表示部に表示された複数の原稿画像の、同表示部に表示された前記レイアウト上の所定位置との関連付けを、変更可能である画像編集装置にあるので、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、所望の画像形成が行われるかどうかの確認のために要する時間、労力、用紙等のサプライを低減することが可能な画像編集装置を提供することができる。
【００１９】
前記レイアウト記憶部に記憶された前記レイアウトの所定位置と、複数の原稿画像データとを関連付けて記憶する原稿画像位置記憶部を有することとすれば、所定のレイアウト上の所定位置に対する複数の原稿画像の配置を、実際の画像形成前に確認可能かつ再配置可能に行うことができるとともに、原稿画像位置記憶部に記憶されているデータを用いて画像形成用の画像を構成することが可能となり同画像の構成作業が効率化され、これによって、実際に画像形成を行うことなく所望の画像形成が行われるかどうかの判断を行いながら画像形成用の画像を構成することが可能かつ効率的となり、所望の画像形成が行われるかどうかの確認のために要する時間、労力、用紙等のサプライをより低減することが可能な画像編集装置を提供することができる。
【００２０】
前記原稿画像位置記憶部は、複数の原稿画像データが前記画像記憶部に記憶された順に応じて、複数の原稿画像データと、前記レイアウト記憶部に記憶された前記レイアウトの所定位置とを関連付けて記憶するものであり、前記入力手段により前記関連付けの変更が行われたとき、この変更に応じて、前記画像記憶部に記憶された順と、前記レイアウト記憶部に記憶された前記レイアウトの所定位置との関連付けを変更可能であることとすれば、所定のレイアウト上の所定位置に対する複数の原稿画像の配置を、実際の画像形成前に確認可能かつ再配置可能に行うことができるとともに、同じレイアウトを用いて再度画像形成を行うときに原稿画像位置記憶部に記憶されているデータを用いて画像形成用の画像を構成することが可能となり同画像の構成作業がさらに効率化され、これによって、実際に画像形成を行うことなく所望の画像形成が行われるかどうかの判断を行いながら画像形成用の画像を構成することが可能かつさらに効率的となり、所望の画像形成が行われるかどうかの確認のために要する時間、労力、用紙等のサプライをさらに低減することが可能な画像編集装置を提供することができる。
【００２１】
複数の原稿画像データが前記画像記憶部に記憶された順に応じて、ページ番号を、前記表示部に表示された前記レイアウトの所定位置と関連付け、同レイアウト上の所定位置にページ番号を付加した状態で同表示部に表示させるページ番号出力手段を有することとすれば、所定のレイアウト上の所定位置に対する複数の原稿画像およびページ番号の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、ページ番号を含んだ所望の画像形成が行われるかどうかの確認のために要する時間、労力、用紙等のサプライを低減することが可能であり、ページ番号付与も可能な画像編集装置を提供することができる。
【００２２】
前記ページ番号出力手段によってなされた、前記表示部に表示された前記レイアウトの所定位置と、ページ番号との関連付けの変更を行うための入力を行うページ番号変更入力手段を有し、前記ページ番号出力手段は、前記ページ番号変更入力手段によって前記変更が行われたとき、この変更に応じて、前記表示部に表示された前記レイアウト上の所定位置にページ番号を付加した状態で同表示部に表示させることとすれば、所定のレイアウト上の所定位置に対する複数の原稿画像およびページ番号の配置を、実際の画像形成前に確認可能かつ再配置可能に行うことができるとともに、ページ番号を操作者の操作に従って配置変更することが可能であり、これによって、実際に画像形成を行うことなく所望の画像形成が行われるかどうかの判断を行いながらページ番号を含む画像形成用の画像を構成することが可能となり、ページ番号を含んだ所望の画像形成が行われるかどうかの確認やページ番号の付け間違い解消のために要する時間、労力、用紙等のサプライを低減することが可能であり、ページ番号付与を自由度高く行うことが可能な画像編集装置を提供することができる。
【００２３】
前記入力手段により、前記表示部に表示する原稿画像を変更可能であることとすれば、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となるとともに、印刷に用いる原稿画像の変更が容易となり、特に複数の原稿画像のうちの一部を変更する場合には変更しない原稿画像の読み取りを省略することが可能となるなど、所望の画像形成が行われるかどうかの確認のために要する時間、労力、用紙等のサプライをより低減することが可能な画像編集装置を提供することができる。
【００２４】
前記入力手段による、前記表示部に表示する原稿画像の変更は、前記表示部に表示されている複数の原稿画像から同表示部への表示を取り消す原稿画像を選択した後に新たに入力された原稿画像データに対応した原稿画像が同表示部に表示されることで行われることとすれば、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となるとともに、印刷に用いる原稿画像の変更を簡易な操作で行うことが可能となり、特に複数の原稿画像のうちの一部を変更する場合には変更しない原稿画像の読み取りを省略することが可能となるなど、所望の画像形成が行われるかどうかの確認のために要する時間、労力、用紙等のサプライをさらに低減することが可能な画像編集装置を提供することができる。
【００２５】
本発明は、複数の原稿画像データを記憶する画像記憶部と、複数の原稿画像をその所定位置に配置して画像形成用の画像を構成するためのレイアウトを記憶するレイアウト記憶部と、前記レイアウト記憶部に記憶された前記レイアウトを表示する表示部と、前記表示部に表示された前記レイアウトの所定位置と、前記画像記憶部に記憶された複数の原稿画像データとを関連付けるための入力を行う入力手段とを用い、前記表示部に、前記レイアウトとともに、同レイアウトに関連付けられた複数の原稿画像が、同レイアウト上の所定位置に表示された状態で、前記入力手段により、前記表示部に表示された複数の原稿画像の、同表示部に表示された前記レイアウト上の所定位置との関連付けを、変更する画像編集方法にあるので、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、所望の画像形成が行われるかどうかの確認のために要する時間、労力、用紙等のサプライを低減することが可能な画像編集方法を提供することができる。
【００２６】
本発明は、かかる画像編集装置、又は、かかる画像編集方法を用いる画像形成装置であって、前記表示部に表示された、前記レイアウトと同レイアウトの所定位置に配置された複数の原稿画像とによって構成された前記画像形成用の画像に応じて画像形成を行う画像形成装置にあるので、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、所望の画像形成が行われるかどうかの確認のために要する時間、労力、用紙等のサプライを低減することが可能な画像形成装置を提供することができる。
【００２７】
画像形成装置が印刷装置であることとすれば、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、所望の画像形成が行われるかどうかの確認のために要する時間、労力、用紙、マスタ等の版、インキ等のサプライを低減することが可能な画像形成装置を提供することができる。
【００２８】
本発明は、かかる画像編集装置、又は、かかる画像編集方法、又は、かかる画像形成装置を用いる画像形成方法であって、前記表示部に表示された、前記レイアウトと同レイアウトの所定位置に配置された複数の原稿画像とによって構成された前記画像形成用の画像に応じて画像形成を行う画像形成方法にあるので、所定のレイアウト上の所定位置に対する複数の原稿画像の配置を、実際の画像形成前に確認可能かつ再配置可能に行うことができ、これによって、実際に画像形成を行うことなく所望の画像形成が行われるかどうかの判断を行いながら画像形成用の画像を構成することが可能となり、所望の画像形成が行われるかどうかの確認のために要する時間、労力、用紙等のサプライを低減することが可能な画像形成方法を提供することができる。
【発明を実施するための最良の形態】
【００２９】
図１に、本発明を適用した画像形成装置としての印刷装置である感熱デジタル製版一体型の孔版印刷装置の概略を示す。この孔版印刷装置１００は、装置本体６７の上部に、原稿画像を読取るための原稿画像読取部としてのイメージスキャナ６１を備えている。このイメージスキャナ６１は、原稿を載置するコンタクトガラス６２、コンタクトガラス６２に対して接離自在に設けられた圧板５９、コンタクトガラス６２上にセットされた原稿を照明するためのランプ６３や複数のミラー６４、結像レンズ６５及び１次元アレイ状のＣＣＤ６６等により構成されている。圧板５９の上方には、複数枚の原稿を自動的に読み取る際に用いられるＡＤＦユニット８６が配設されている。イメージスキャナ６１による原稿の読み取り動作に関する制御は、図２に示して後述する制御部９０によって行われる。
【００３０】
図１に示すように、孔版印刷装置１００は、イメージスキャナ６１の下部に、回転自在に支持された版胴６８を中心とする印刷部６９と、感熱孔版原紙からなるマスタ７０をロール状としたマスタロール７０ａと、マスタロール７０ａから引き出されたマスタ７０を穿孔し製版済みのマスタ７０を版胴６８に供給する製版装置７１とを備えている。
【００３１】
孔版印刷装置１００はまた、版胴６８の外周に、給紙される用紙としてのシートである印刷用紙Ｐを版胴６８に押圧する押圧装置１２と、版胴６８から印刷用紙Ｐを剥離する進退自在な剥離爪７５と、印刷工程の前に版胴６８に巻き付けられた使用済みのマスタ７０を剥離する排版装置７６とを備えている。
【００３２】
孔版印刷装置１００はまた、印刷部６９に向けて印刷用紙Ｐを供給する給紙装置５２と、剥離爪７５によって版胴６８から剥離された印刷用紙Ｐを搬送する用紙搬送装置８４と、用紙搬送装置８４によって搬送されてきた印刷済みの印刷用紙Ｐを積載する排紙トレイとしての排紙台８５とを備えている。
【００３３】
孔版印刷装置１００はまた、図２に示すように、ユーザ等のオペレータすなわち操作者が孔版印刷装置１００の操作を行うための操作パネル９１と、孔版印刷装置１００の動作等の全般を制御する制御手段としての制御部９０とを備えている。
【００３４】
版胴６８は、その内部に配設されたインキローラ７２を含む図示しないインキ供給機構と、その外周の一部に配設された、製版済みのマスタ７０の端部を把持する開閉自在のクランパ７３と、図示しない開口部と非開口部とを備えた図示しない多孔性支持円筒体と、この多孔性支持円筒体の外周を覆う図示しないメッシュスクリーンとを有している。開口部は、インキ供給機構によって供給されるインキを透過させるための小さな孔が多数形成された部分であり、透過したインキが、メッシュスクリーンから滲み出るように構成されている。
【００３５】
版胴６８は、複数の印刷速度に対応してその回転速度を変えることが可能なように版胴駆動手段としての図２に示すメインモータ４２を含む版胴６８の図示しない駆動系を介して図１における時計回り方向である方向Ａに回転駆動される。メインモータ４２の駆動は制御部９０によって制御される。
【００３６】
図１に示すように、給紙装置５２は、昇降自在に設けられ印刷用紙Ｐを積載する給紙台８１と、給紙台８１の上方に配設された給紙ローラ８２と、版胴６８の回転運動に同期して駆動され、給紙ローラ８２により繰り出された印刷用紙Ｐを印刷部６９に給送するレジストローラ対８３と、給紙ローラ８２により繰り出された印刷用紙Ｐをレジストローラ対８３に案内するとともに、レジストローラ対８３から印刷部６９に向けて給送された印刷用紙Ｐを印刷部６９に案内するガイド板４０、４１と、給紙台８１上の印刷用紙Ｐのサイズを検知する周知の構成の図２に示す用紙サイズ検知手段４３とを有している。
【００３７】
給紙ローラ８２は、給紙台８１上に積載された印刷用紙Ｐのうち最上位の印刷用紙Ｐを繰り出すものであって、定位置において回転されるようになっている。給紙台８１は、最上位の印刷用紙Ｐが給紙ローラ８２に当接するよう、印刷用紙Ｐの枚数、厚さに応じて上昇、下降が制御される。用紙サイズ検知手段４３は、印刷用紙Ｐのサイズに関する信号を制御部９０に送信し、制御部９０において用紙サイズが判別される。
【００３８】
用紙搬送装置８４は、駆動ローラ５５及び従動ローラ５６と、駆動ローラ５５及び従動ローラ５６に巻き掛けられた排紙ベルトとしての搬送ベルト５７と、搬送ベルト５７に印刷用紙Ｐを吸着させるための吸着ファン５８とを有している。
排紙台８５は、印刷部６９で印刷後の印刷用紙Ｐが排出され、この印刷用紙Ｐを積層保持するものである。
【００３９】
排版装置７６は、版胴６８からマスタ７０を剥ぎ取って搬送するマスタ剥離装置５３と、マスタ剥離装置５３によって版胴６８から剥ぎ取られ搬送されてきた使用済みのマスタ７０を収納する排版ボックス５４とを有している。
【００４０】
製版装置７１は、プラテンローラ７７及びこれに接離自在に対向配置された製版ヘッドとしてのサーマルヘッド７８と、マスタロール７０ａからマスタ７０を引き出してプラテンローラ７７及びサーマルヘッド７８に向けて搬送するローラ対７４と、サーマルヘッド７８によって穿孔され作成された製版済みのマスタ７０を版胴６８に向けて搬送するローラ対７９と、製版マスタ７０を所定長さに切断するカッタ８０とを有している。
【００４１】
サーマルヘッド７８は、マスタ７０の幅方向である図１における紙面に垂直な方向に多数の発熱素子を並設されている。各発熱素子を発熱させるか否かの制御は後述する製版データに基づき制御部９０によって行われる。
【００４２】
押圧装置１２は、印刷用紙Ｐを版胴６８上のマスタ７０に押圧する押圧体としての圧胴１０と、メインモータ４２の駆動力を圧胴１０に伝達し圧胴１０を版胴６８の回転に同期して定位置で回転駆動する図示しない押圧体駆動手段とを有している。圧胴１０は、クランパ７３が版胴６８の回転により圧胴１０に対向する位置を占めたときに圧胴１０との干渉を避ける凹部１１を有している。
【００４３】
操作パネル９１は、孔版印刷装置１００による印刷に際して必要な操作を行うための操作キー８７と、孔版印刷装置１００の状態などを操作者に報知するための表示を行う表示部９６とを備えている。
【００４４】
表示部９６は、タッチパネル式の液晶表示パネルであって、孔版印刷装置１００の状態などを操作者に報知するための表示を行うようになっているとともに、その他、操作キー８７のように、孔版印刷装置１００に対する所定の操作を行うことができるようにもなっている。
【００４５】
操作キー８７は、図３に示すように、製版装置７１における製版を開始させる製版開始命令信号を入力する製版スタートキー９２と、印刷を開始させる印刷スタートキー９５と、印刷枚数等の数字を入力するテンキー９３と、印刷速度を設定する印刷速度設定手段としての印刷速度設定キー９４と、製版装置７１における製版モードすなわち画像が文字であるか写真であるか、また濃く印刷するか薄く印刷するかなどを設定する製版モードキー８８と、印刷用紙Ｐが普通紙であるか厚紙であるかなど紙種に関する情報を入力する紙種入力キー８９と、後述する集約印刷を行うか否かを切り換える集約印刷切換キー１３とを含んでいる。
【００４６】
図２に示すように、制御部９０は、ＣＰＵ９７と、孔版印刷装置１００の動作プログラム及びこの動作プログラムの動作に必要な各種データを記憶した第１の記憶手段としてのＲＯＭ９８と、孔版印刷装置１００の動作に必要なデータを記憶する第２の記憶手段としてのＲＡＭ９９等を備えた構成となっている。
【００４７】
ＣＰＵ９７は、イメージスキャナ６１にて読み取った画像情報又は孔版印刷装置１００に接続されたパーソナルコンピュータ等の外部入力装置から入力された画像情報である原稿画像データに基づき、サーマルヘッド７８の各発熱素子を発熱させるか否かの画像情報である製版データを生成する。
【００４８】
すなわち制御部９０は、イメージスキャナ６１にて読み取った画像情報に基づき、製版データを生成するための原稿画像データを作成する。また、画像情報が外部入力装置から入力された場合に、その画像情報である原稿画像データが製版データを生成するためのフォーマットと異なる場合には、制御部９０は、その原稿画像データを、製版データを生成するのに適したフォーマットの原稿画像データに変換する。ここに、制御部は、原稿画像データ生成手段として機能する。
【００４９】
ＣＰＵ９７において製版データを生成するのは、原稿画像データは、一般に８ビットなどの多階調データであって、そのままでは、発熱するか否かのいずれかのみで制御されるサーマルヘッド７８の発熱素子によってマスタ７０を穿孔し所望の印刷画像を得ることができないためである。
【００５０】
そのため、ＣＰＵ９７は、かかる多階調データに基づき、サーマルヘッド７８の各発熱素子を発熱させるか否かの１ビットの２値化された画像情報すなわち製版データを生成する。この製版データは、擬似濃淡画像を形成するものである。ここに、ＣＰＵ９７は、製版データ生成手段として機能する。
【００５１】
ＲＡＭ９９には、原稿画像データである多階調データが格納され記憶される。多階調データはＣＰＵ９７によって読み出され、上述の２値化された製版データが生成される。ＲＡＭ９９には、かかる２値化された製版データも格納され記憶される。ＲＡＭ９９は、多階調データとしての原稿画像データを記憶する画像記憶部、２値化された製版データを記憶する製版データ記憶部として機能する。
【００５２】
ＲＡＭ９９にはまた、印刷速度設定キー９４によって設定された印刷速度、製版モードキー８８によって設定された製版モード、紙種入力キー８９によって入力された紙種、用紙サイズ検知手段４３からの信号によって判別した印刷用紙Ｐのサイズなどの各種印刷条件が格納され記憶される。
【００５３】
制御部９０は、表示部９６に表示する表示画像のデータである表示画像データを生成する表示画像生成手段として機能するとともに、生成した表示画像データを表示部９６に出力して表示画像を表示部９６に表示させる表示画像出力手段として機能する。ＲＡＭ９９は、表示画像生成手段としての制御部９０によって生成され表示画像出力手段としての制御部９０によって表示部９６に表示された表示画像データを記憶する表示画像記憶部として機能する。
【００５４】
このような孔版印刷装置１００全体の一連の印刷動作について説明する。
操作者が、コンタクトガラス６２上あるいはＡＤＦユニット８６上に原稿をセットし、製版スタートキー９２を押下すること等により、製版開始命令信号が発せられると、イメージスキャナ６１で原稿の読み取りが開始されるとともに、メインモータ４２によって版胴６８が方向Ａに回転駆動され、この過程で図示しない使用済みのマスタが排版装置７６によって版胴６８から剥離され、廃棄される。
【００５５】
版胴６８はさらに回転駆動され、その後クランパ７３が図１に示すように同図における略右端位置を占めたところで停止する。版胴６８が停止するとクランパ７３が解放され、給版待機状態となる。
【００５６】
一方、原稿画像データに応じて製版装置７１にてマスタ７０への製版が行われる。なお画像データとして外部入力装置から入力されたものを使用する場合もあり、この場合は上述のイメージスキャナ６１による原稿の読み取りは省略される。
【００５７】
マスタ７０の製版は、プラテンローラ７７及びローラ対７４、７９が回転しマスタ７０を副走査方向に１ライン分搬送する度に、原稿画像データに基づいて生成された２値化データである製版データに応じてサーマルヘッド７８の特定の発熱素子に電圧がパルス状に印加され、マスタ７０を構成する熱可塑性樹脂フィルムを加熱穿孔し、主走査方向へのドット形成による製版を行うことによって実行される。
【００５８】
このようにして製版された製版済みのマスタ７０は、ローラ対７９により版胴６８に向けて送り出され、その先端がクランパ７３に進入すると、クランパ７３が閉じられて、マスタ７０の先端が挟持される。
【００５９】
クランパ７３を閉じると版胴６８の回転駆動を再開する。版胴６８の回転速度はマスタ７０の搬送速度と同速である。版胴６８の回転により、製版済みのマスタ７０が版胴６８に備えられた多孔性支持円筒体の開口部を覆うようにして版胴６８の外周面に巻き付けられていく。
【００６０】
製版が終了すると、カッタ８０が作動してマスタ７０を切断し、プラテンローラ７９及びローラ対７４、７９の回転駆動が停止され、切断されたマスタ７０は版胴６８の回転に伴って版胴６８に引き出され、版胴６８への巻着が完了する。
【００６１】
この後に操作者が印刷スタートキー９５を押下すると印刷処理が実行される。給紙台８１の最上位の印刷用紙Ｐを給紙ローラ８２により給紙し、印刷用紙Ｐの先端が停止状態のレジストローラ対８３のニップ部に当接してその先端縁が揃えられる。
【００６２】
版胴６８の回転に同期させてレジストローラ対８３を駆動し、印刷用紙Ｐの先端がニップ部Ｎの近傍に至ったときに、圧胴１０の周面すなわち凹部１１でない部分で版胴６８上のマスタ７０に印刷用紙Ｐを連続的に押し付けることにより、版胴６８内のインキがマスタ７０の穿孔部分から滲み出し、版胴６８に巻着されたマスタ７０が版胴６８に密着するとともに印刷用紙Ｐに転写され、印刷が行われる。
【００６３】
印刷後の印刷用紙Ｐは、剥離爪７５により版胴６８から剥離され、版胴６８の回転にともなって用紙搬送装置８４に案内され、用紙搬送装置８４より排紙台８５に排紙され、積載される。印刷処理は、テンキー９３で設定された印刷枚数の印刷が終了するまで繰り返される。版胴６８の回転速度は、印刷速度設定キー９４によって設定された印刷速度に対応するものであり、ＣＰＵ９７がメインモータ４２を制御することによって調整されている。
【００６４】
ここで、孔版印刷装置１００は、複数の原稿画像を集約して画像形成用すなわち印刷用の画像を構成し、この画像に対応する製版データを生成し、これを用いて製版を行い、印刷を行うことすなわち集約印刷を行うことが可能となっている。
【００６５】
そのため、画像記憶部としてのＲＡＭ９９には、複数の原稿画像データを記憶する領域が確保されている。また、複数の原稿画像を集約するためのレイアウトも、ＲＡＭ９９に記憶されている。ここに、ＲＡＭ９９は、レイアウト記憶部として機能する。レイアウト記憶部として機能するＲＡＭ９９には、用途に応じた集約を行うために、複数の態様で構成されたレイアウトが記憶されている。なお、レイアウト記憶部は、ＲＡＭ９９に代えて、あるいはＲＡＭ９９とともに、ＲＯＭ９８がこれを構成するようにしてもよい。
【００６６】
レイアウトは、複数の原稿画像をその所定位置に配置して印刷用の画像を構成するためのものであり、集約印刷切換キー１３の押下により、レイアウト記憶部として機能するＲＡＭ９９等から読み出されて表示部９６に表示されるようになっている。
【００６７】
操作者は、タッチパネルである表示部９６に表示されたレイアウトに触れることで、所望のレイアウトを選択することができるようになっている。ここに、表示部９６はレイアウト選択手段として機能する。図３に符号２０で示すように、レイアウトは実際の大きさのものを縦横等倍で縮小した、いわゆるサムネイル形式で、表示部９６に表示される。ここに、制御部９０は、レイアウト記憶部としてのＲＡＭ９９に記憶されているレイアウトを表示部９６に出力して表示させるレイアウト出力手段として機能する。なお、符号２０は、選択されたサムネイルを示す符号であるものとする。
【００６８】
本形態では、説明のため、図３に示すように、レイアウト２０は、原稿画像を配置する所定位置として、縦横２つずつ、合計４つの領域である領域２１ないし２４を有するものとする。レイアウト２０において原稿画像を配置する所定位置が４つであることは、制御部９０によって認識されている。また、表示部９６に表示された、後述する各種キー等を選択するためにそれに触れることを、以下、「押下する」という。
【００６９】
図３に示した状態は、上述の印刷動作において、製版スタートキー９２を押下する前の状態である。この状態から製版スタートキー９２を押下することで、領域２１ないし２４の数に対応した４枚の原稿が読み取られるまで、イメージスキャナ６１により原稿の読み取り動作、原稿画像データの生成、原稿画像データの記憶が繰り返され、またこれとともに、表示部９６においては、表示されている領域２１、２２、２３、２４上に、この順で、図４に示すように、読み込まれた原稿画像のサムネイルが表示される。ここに、制御部９０は、画像記憶部としてのＲＡＭ９９に記憶されている原稿画像データを表示部９６に出力して表示させる原稿画像出力手段として機能する。ここで、同図に示されているように、イメージスキャナ６１によって読み込まれた原稿画像の画像３１ないし３４の内容は、順に、「画像１」、「画像２」、「画像３」、「画像４」であるものとする。なお、集約印刷切換キー１３を押下すると、製版スタートキー９２が押下され原稿の読み取りが完了しても、後述する配置順保持キー１６の押下まで、製版動作は保留される。
【００７０】
領域２１、２２、２３、２４の順で、画像３１、画像３２、画像３３、画像３４を貼り付けるべきことは、ＲＡＭ９９に記憶されている。ここに、ＲＡＭ９９は、レイアウト記憶部としてのＲＡＭ９９に記憶された各レイアウトの所定位置と、画像記憶部としてのＲＡＭ９９に記憶された複数の原稿画像データとの関連付けに関するデータすなわち関連付けデータを記憶した原稿画像位置記憶部として機能する。
【００７１】
原稿画像位置記憶部としてのＲＡＭ９９は、複数の原稿画像データが画像記憶部としてのＲＡＭ９９に記憶された順、言い換えると複数の原稿画像データの生成順序に応じて、複数の原稿画像データと、レイアウト記憶部としてのＲＡＭ９９に記憶されたレイアウトにおける所定位置とを関連付けて記憶するものであり、レイアウト２０について、初期状態においては、上述したように、領域２１、２２、２３、２４の順で、原稿画像データを、読み込んだ順、すなわち画像３１、画像３２、画像３３、画像３４の順に、各レイアウトの所定位置と関連付ける関連付けデータが記憶されている。
【００７２】
ただし、原稿画像位置記憶部としてのＲＡＭ９９には、関連付けデータを複数記憶する領域が確保されており、後述するように、各レイアウトの所定位置と原稿画像データとの関連付け、言い換えると各レイアウトの所定位置と原稿画像データの生成順序との関連付けが新たに指定された場合には、その新たに指定された関連付けに対応する関連付けデータが制御部９０において作成され、ＲＡＭ９９に記憶されるようになっている。ここに、制御部９０は、関連付けデータ生成手段として機能する。
【００７３】
操作者は、領域２１ないし２４に画像３１ないし３４がそれぞれ貼り付けられたレイアウト２０を見て、所望の印刷画像が得られるか否かを判断し、所望の印刷画像が得られると判断すれば、配置順保持キー１６を押下し、これによって製版動作の保留状態が解除され、製版データ生成手段としてのＣＰＵ９７により、図４に示す、その時点で表示部９６に表示されている形成画像としての印刷画像すなわちレイアウト２０およびこの所定位置に貼り付けられた状態の画像３１ないし３４が印刷されるように製版データが作成され、製版装置７１において実際に製版が開始される。その後は上述の通り印刷が行われることとなる。なお、図４に示した状態で配置順保持キー１６を押下すると、原稿画像位置記憶部としてのＲＡＭ９９には、同一の関連付けデータが別の領域に記憶されることとなる。
【００７４】
操作者は、所望の印刷画像が得られないと判断したときは、レイアウト変更キー１５を押下することで、画像３１ないし３４を、領域２１ないし２４の所望の位置に配置できる状態とする。すなわち、図４に示された状態において、レイアウト変更キー１５を押下すると、図５に示すように、画像３１ないし３４が、レイアウト２０から離れた位置に分離して表示される。この状態で各画像３１ないし３４をドラッグ＆ドロップすることで、図６に示すように、所望の領域２１ないし２４に貼り付けていき、最終的には、図７に示すように、画像３１ないし３４を、領域２１ないし２４のいずれかに貼り付けた状態とする。なお、ここで、ドラッグとは、画像３１ないし３４のいずれかを押下した状態を維持して表示部９６上における押下位置を移動させることをいい、ドロップとは、押下位置を、領域２１ないし２４の、いまだ空白となっている部分まで移動した状態で、押下状態を解除し、その部分に、押下していた画像を位置決めすることをいう。
【００７５】
操作者は、画像３１ないし３４を貼り付けた状態のレイアウト２０を見て、所望の印刷画像が得られるか否かを再度判断する。得られない場合はレイアウト変更キー１５の押下以下の操作を上述と同様に繰り返し、得られると判断した場合は配置順保持キー１６を押下して図７に示す印刷画像が得られる製版データを作成させ製版を開始させ、同印刷画像の印刷を行わせる。配置順保持キー１６が押下されると、原稿画像位置記憶部としてのＲＡＭ９９には、新たに作成された関連付けデータが記憶される。このように、表示部９６は、表示部９６に表示されたレイアウト２０の所定位置すなわち領域２１ないし２４と、画像記憶部としてのＲＡＭ９９に記憶された複数の原稿画像データに等価の画像すなわち画像３１ないし３４とを関連付ける入力を行い、かかる関連付けを変更可能とする入力手段として機能する。
【００７６】
すでに述べたように、原稿画像位置記憶部としてのＲＡＭ９９は、複数の原稿画像データが画像記憶部としてのＲＡＭ９９に記憶された順に応じて、複数の原稿画像データと、レイアウト記憶部としてのＲＡＭ９９に記憶されたレイアウトにおける所定位置とを関連付けて記憶するものであって、このように入力手段としての表示部９６により各レイアウトの所定位置と原稿画像データの生成順序との関連付けが変更された場合には、この変更に応じて、複数の原稿画像データが画像記憶部としてのＲＡＭ９９に記憶された順と、レイアウト記憶部としてのＲＡＭ９９に記憶されたレイアウトにおける所定位置との関連付けとを行う関連付けデータが制御部９０で新たに作成され、原稿画像位置記憶部としてのＲＡＭ９９に記憶されて、かかる関連付けが変更される。
【００７７】
なお、新たに作成された関連付けデータは、初期の関連付けデータと別に作成され記憶た関連付けデータがある場合にはこれに上書きされるが、履歴として全ての関連付けデータを残しても良い。
また、領域２１ないし２４上に表示すべき画像は、画像記憶部としてのＲＡＭ９９に予め記憶させておいた原稿画像を表示部９１に表示させて操作者の操作、例えば所望の原稿画像に順次押下することで、選択するようにしてもよい。この場合には、選択の順に対応する関連付けデータが作成され、配置順保持キー１６の押下によりＲＡＭ９９に記憶される。
その後、レイアウト２０を選択して集約印刷を行う場合には、最新の関連付けデータに基づいて印刷画像の構成が行われる。
【００７８】
孔版印刷装置１００は、集約印刷を行うとき、レイアウト上に集約された各原稿画像にページ番号を付与して印刷を行う、ページ番号付与印刷を行うことが可能となっている。
この場合、操作者は、表示部９６上の印刷画像すなわち画像３１ないし３４を貼り付けた状態のレイアウト２０を見て、所望の印刷画像が得られると判断し配置順保持キー１６を押下して製版を開始させる前に、ページ番号印字キー１７を押下する。
【００７９】
このとき、制御部９０は、原稿画像データが画像記憶部としてのＲＡＭ９９に記憶された順に応じて、ページ番号を、表示部９６に表示されたレイアウトの所定位置と関連付け、表示部９６上の所定位置にページ番号を付加した状態で表示部９６に表示させる。ここに、制御部９０は、ページ番号出力手段として機能する。
【００８０】
例えば、図７に示した状態でページ番号印字キー１７を押下したとすると、ページ番号は、図８に示すように、初期の関連付けデータに基づいてページ番号を付加して表示する。
操作者は、画像３１ないし３４に加えてページ番号が貼り付けた状態のレイアウト２０を見て、各ページ番号が所望の画像に付加された所望の印刷画像が得られるか否かを判断する。所望の印刷画像が得られると判断すれば、配置順保持キー１６を押下し、これによって製版動作の保留状態が解除され、製版データ生成手段としてのＣＰＵ９７により、図４に示す、その時点で表示部９６に表示されている形成画像としての印刷画像すなわちレイアウト２０およびこの所定位置に貼り付けられた状態の画像３１ないし３４およびページ番号が印刷されるように製版データが作成され、製版装置７１において実際に製版が開始される。その後は上述の通り印刷が行われることとなる。
【００８１】
なお、配置順保持キー１６を押下すると、ＲＡＭ９９を、原稿画像位置記憶部として機能させるときと同様に、レイアウトの所定位置とページ番号とを関連付けて記憶するページ位置記憶部として機能させ、ページ関連付けデータを記憶するようにしてもよい。ページ関連付けデータは、制御部９０を、関連付けデータ生成手段として機能させるときと同様に、ページ関連付けデータ生成手段として機能する制御部９０に生成させる。
【００８２】
操作者は、所望の印刷画像が得られないと判断したときは、ページ番号配置変更キー１８を押下することで、ページ番号を、領域２１ないし２４の所望の位置に配置する状態とする。すなわち、図８に示された状態において、レイアウト変更キー１５を押下すると、ページ番号の表示が全て消去され、この状態で、図９に示すように、画像３１ないし３４を順次押下すると、押下した順に昇順する態様で、ページ番号がその画像上に表示されていき、最終的には、ページ番号を、領域２１ないし２４上の画像３１ないし３４に、図１０に示すように、それぞれ貼り付けた状態とする。
【００８３】
このように、表示部９６は、ページ番号出力手段としての制御部９０によってなされた、表示部９６に表示されたレイアウト２０の所定位置とページ番号との関連付けの変更を行うための入力を行うページ番号変更入力手段として機能するものである。また、ページ番号出力手段としての制御部９０は、ページ番号変更入力手段としての表示部９６によってかかるページ番号の関連付けの変更が行われたとき、この変更に応じて、表示部９６に表示されたレイアウト２０上の所定位置にページ番号を付加した状態で表示部９６に表示を行わせるようになっている。
【００８４】
操作者は、ページ番号を付加した状態のレイアウト２０を見て、所望の印刷画像が得られるか否かを再度判断する。得られない場合はページ番号配置変更キー１８の押下以下の操作を上述と同様に繰り返し、得られると判断した場合は配置順保持キー１６を押下して図１０に示す印刷画像が得られる製版データを作成させ製版を開始させ、同印刷画像の印刷を行わせる。なお、ＲＡＭ９９をページ位置記憶部として機能させる場合、配置順保持キー１６が押下されると、ページ位置記憶部としてのＲＡＭ９９には、新たに作成されたページ関連付けデータを記憶するようにすることが好ましい。
【００８５】
なお、ページ番号付与は、初期の関連付けデータでなく、最新の関連付けデータに基づいて行っても良く、そうすれば、図８に示した態様でなく図１０で示した態様のページ番号付与が始めから行われる。いずれの関連付けデータを用いるかを表示部９６その他操作パネル９１の操作によって指定できるようにしてもよい。
【００８６】
孔版印刷装置１００は、集約印刷を行うとき、入力手段としての表示部９６により、表示部９６に表示して印刷を行う原稿画像を変更可能となっている。この場合、操作者は、レイアウト変更キー１５の押下により、表示部９６による表示を図５に示した状態としてから、集約印刷に不要な画像を選択し、サムネイル削除キー１９を押下して、選択した画像を削除する。
【００８７】
例えば、画像３３が不要な場合、画像３３を押下して、図１１に示すように画像３３を選択し、サムネイル削除キー１９を押下して、画像３３を削除する。
その後、残った画像３１、３２、３４について、上述と同様にドラッグ＆ドロップを行って、例えば図１２に示す状態とし、これで所望の印刷画像が得られると判断すれば、配置順保持キー１６を押下し、これによって製版動作の保留状態が解除され、製版データ生成手段としてのＣＰＵ９７により、図１２に示す印刷画像が印刷されるように製版データが作成され、製版装置７１において実際に製版が開始される。その後は上述の通り印刷が行われることとなる。
【００８８】
操作者は、所望の印刷画像が得られないと判断したときは、レイアウト変更キー１５の押下以下の操作を上述と同様に繰り返し、得られると判断した場合は配置順保持キー１６を押下して、表示部９６に表示した印刷画像が得られる製版データを作成させ製版を開始させ、同印刷画像の印刷を行わせる。
【００８９】
孔版印刷装置１００は、表示部９６に表示して印刷を行う原稿画像を変更するとき、入力手段としての表示部９６により、削除した原稿画像の代わりの新たな原稿画像を用いて印刷画像を構成することが可能となっている。
【００９０】
例えば、図１１に示したように不要な画像３３を選択するとともに、コンタクトガラス６２上あるいはＡＤＦユニット８６上に、集約印刷に用いたい新たな原稿をセットすると、サムネイル削除キー１９の押下により、イメージスキャナ６１で原稿の読み取りが行われ、読み取られた原稿の画像３５が、選択された画像３３の位置に、代わりに表示される。
【００９１】
その後、画像３１、３２、３４、３５について、上述と同様にドラッグ＆ドロップを行って、例えば図１４に示す状態として、所望の印刷画像が得られるか否かを判断し、所望の画像が得られないと判断したときは、レイアウト変更キー１５の押下以下の操作を上述と同様に繰り返す。所望の印刷画像が得られると判断すれば、配置順保持キー１６を押下し、これによって製版動作の保留状態が解除され、製版データ生成手段としてのＣＰＵ９７により、図１４に示す印刷画像が印刷されるように製版データが作成され、製版装置７１において実際に製版が開始される。その後は上述の通り印刷が行われることとなる。
【００９２】
このように、削除した原稿画像の代わりの新たな原稿画像を用いて印刷画像を構成する場合には、例えば、表示部９６に表示されている画像３１ないし３４から、表示部９６への表示を取り消す画像３３を選択し、その後に、新たに入力された原稿画像データに対応した画像３５を表示部９６に表示させることで、入力手段としての表示部９６による、表示部９６に表示する原稿画像の変更を行う。
【００９３】
なお、新たな原稿画像の読み取りのトリガーは、コンタクトガラス６２上あるいはＡＤＦユニット８６上に原稿がセットされた状態でのサムネイル削除キー１９の押下でなくてもよい。例えば、操作パネル９１に原稿読み込みキーを設け、原稿読み込みキーの押下を新たな原稿画像の読み取りのトリガーとすることができる。新たな原稿画像は、画像記憶部としてのＲＡＭ９９に予め記憶させておいた原稿画像を表示部９１に表示させて操作者の操作、例えば所望の原稿画像の押下で、選択するようにしてもよい。
【００９４】
以上述べた集約印刷に用いる各構成要素のうち、図２に示すように、少なくとも画像記憶部としてのＲＡＭ９９と、レイアウト記憶部としてのＲＡＭ９９やＲＯＭ９８と、レイアウトを表示する表示部９６と、入力手段としての表示部９６とは、表示部９６に表示されたレイアウト上において原稿画像の配置を変更可能とする画像編集装置３０を構成している。
【００９５】
また、ＲＯＭ９８は上述の各動作を行う画像編集方法を実現する画像編集プログラムを記憶した画像編集プログラム記憶部として機能する。なお、表示部９６に表示される各種キー１５〜１９は、これらがその機能を果たすために押下される可能性がある場合のみ表示部９６に表示されるようにしてもよい。
【００９６】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００９７】
例えば、各入力手段、各選択手段は、表示部でなく、操作パネルに配置した構成によって実現してもよいし、画像形成装置に接続されたＰＣ、キーボード、マウス、モニタ等の外部入力手段によって実現しても良い。表示部も、画像形成装置に接続されたＰＣ、モニタ等の外部入力手段によって実現しても良い。
【００９８】
上述の形態では、本発明を適用する画像形成装置を印刷装置とし、この印刷装置を孔版印刷装置としたが、かかる印刷装置は他の構成の印刷装置であっても良い。孔版印刷装置である場合、例えば版胴は複数備られていても良く、また例えば複数の版胴を用いてカラー印刷を行うものであっても良い。押圧体は圧胴でなくプレスローラであっても良い。そのほか、シートを反転させる機構を備えることなどにより両面印刷を行うものであっても良い。
【００９９】
また本発明を適用する画像形成装置は、印刷装置でなく、複写機、プリンタ、ファクシミリ、これらの複合機等であっても良い。また、画像形成方式は、静電潜像を用いるもののほか、インクジェット等インクを用いる方式であっても良い。これらの場合も、例えば像担持体、インクヘッド等を複数備えること等によってカラー画像形成を行うようにしても良く、シートを反転させて両面画像形成を行うようにしても良い。
【０１００】
画像形成に用いるシートは、一般にコピー等に用いられる普通紙の他、カード、ハガキ等の厚紙や、封筒等の記録媒体であって良い。
上述の集約印刷は、週刊誌、ミニ本の製造のための印刷等、一枚のシートに複数の画像を配置する態様での種々の印刷に適用可能である。
【０１０１】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１０２】
【図１】本発明を適用した画像形成装置である印刷装置の概略を示す正面図である。
【図２】本発明を適用した画像編集装置およびこれを有する図１に示した印刷装置のブロック図である。
【図３】図１に示した印刷装置に備えられた操作パネル、この操作パネルに備えられ図２に示した画像読取装置に備えられた表示部の表示例であって、レイアウトが表示され原稿画像が未表示の状態を示した概略平面図である。
【図４】図３に示した表示部の表示例であって、レイアウト上の所定位置に原稿画像を表示した状態を示した概略平面図である。
【図５】図３に示した表示部の表示例であって、レイアウトと分離した位置に原稿画像を表示した状態を示した概略平面図である。
【図６】図３に示した表示部の表示例であって、レイアウト上の所定位置に、図３に示した状態とは異なる態様で原稿画像を表示する過程の状態を示した概略平面図である。
【図７】図３に示した表示部の表示例であって、レイアウト上の所定位置に、図３に示した状態とは異なる態様で原稿画像を表示した状態を示した概略平面図である。
【図８】図３に示した表示部の表示例であって、レイアウト上の所定位置に、原稿画像とともにページ番号を表示した状態を示した概略平面図である。
【図９】図３に示した表示部の表示例であって、レイアウト上の所定位置に、原稿画像が表示されているとともに、ページ番号を図８に示した状態とは異なる態様で表示する過程の状態を示した概略平面図である。
【図１０】図３に示した表示部の表示例であって、レイアウト上の所定位置に、原稿画像が表示されているとともに、ページ番号を図８に示した状態とは異なる態様で表示した概略平面図である。
【図１１】図３に示した表示部の表示例であって、図５に示した状態において、表示部に表示する原稿画像を変更するためにすでに表示されている原稿画像を削除する過程の状態を示した概略平面図である。
【図１２】図３に示した表示部の表示例であって、図１１に示した状態から、すでに表示されている原稿画像を削除し、残った原稿画像をレイアウト上の所定位置に表示した状態を示した概略平面図である。
【図１３】図３に示した表示部の表示例であって、図１１に示した状態から、削除された原稿画像に代えて新たに入力された原稿画像を表示した状態を示した概略平面図である。
【図１４】図３に示した表示部の表示例であって、図１３に示した状態から、レイアウト上の所定位置に、新たに入力された原稿画像を含む原稿画像を表示した状態を示した概略平面図である。
【符号の説明】
【０１０３】
２０    レイアウト
２１、２２、２３、２４    レイアウトの所定位置
３０    画像編集装置
３１、３２、３３、３４、３５    原稿画像
３５    新たに入力された原稿画像データに対応した原稿画像
９０    ページ番号出力手段
９６    表示部、入力手段、原稿画像位置記憶部、ページ番号変更入力手段
９８、９９    レイアウト記憶部
９９    画像記憶部
１００    画像形成装置、印刷装置
【図１】
2009152890.tif 000003
【図２】
2009152890.tif 000004
【図３】
2009152890.tif 000005
【図４】
2009152890.tif 000006
【図５】
2009152890.tif 000007
【図６】
2009152890.tif 000008
【図７】
2009152890.tif 000009
【図８】
2009152890.tif 000010
【図９】
2009152890.tif 000011
【図１０】
2009152890.tif 000012
【図１１】
2009152890.tif 000013
【図１２】
2009152890.tif 000014
【図１３】
2009152890.tif 000015
【図１４】
2009152890.tif 000016